(57)【要約】【課題】  釣り用サルカンにおいて、すこぶる軽いサルカンにし且つ、水中での回転軸にかかる荷重が比較的小さくとも、或いはかなり強烈な付加でも敏感に反応してスムーズに回転軸が回動可能な水中でのトラブルの少ない耐久性の富んだボールベアリング付きサルカンを提供する。【解決の手段】  釣り用サルカンにおいて、合成樹脂製で分割構成でなるケース体１の収納部２には、収納部側面２ａの片方側面に開口する軸孔３に貫通して回動する抜け止め円板体５付きの回転軸４を収納し、該円板体５の側面５ａと前記収納部側面２ａの片方或いは両方側面間に不特定でのボールベアリング６を設定することで、回転軸４が円滑に回動自在構成でなり、更に、回転軸４の端子４ａとケース体１の片方の端子７に接続孔８を設け、連結用具Ａ等を接続可能にし、オール樹脂構成での軽量体の構成にする。【選択図】図１
2010119377.tif 000002
【特許請求の範囲】
【請求項１】
釣り用サルカンにおいて、合成樹脂製で分割構成でなるケース体１の収納部２には、収納部側面２ａの片方側面に開口する軸孔３に貫通して回動する抜け止め円板体５付きの回転軸４を収納し、該円板体５の側面５ａと前記収納部側面２ａの片方或いは両方側面間に不特定でのボールベアリング６を設定することで、回転軸４が円滑に回動自在構成でなり、更に、回転軸４の端子４ａとケース体１の片方の端子７に接続孔８を設け、連結用具Ａ等を接続可能にし、オール樹脂構成での軽量体にしたとを特徴とる、ボールベアリング付きサルカン。
【請求項２】
前記する分割でなるケース体１を構成するＡケース部９の開口部密着固着可能でなる蓋体９ａとＢケース部１０との間に伸縮自在でなるクッション体１１を固着し、ショックアブソーブ機能を付加したことを特徴とする、請求項１記載の，ボールベアリング付きサルカン。
【請求項３】
前記する合成樹脂製で分割構成でなるケース体１を金属材でのケース体１００に構成したことを特徴とする、請求項１又は請求項２記載のボールベアリング付きサルカン。
【請求項４】
前記する円板体５と一体化する回転軸４を金属での回転軸４００にした事を特徴とする請求項１，２又は３記載のボールベアリング式サルカン。
【請求項５】
前記するケース体１の外観の外周を非円形状、例えば、小判形や多角形でのケース体１０１にした事を特徴とする、請求項１、２，３又は４記載のボールベアリング付きサルカン。
【発明の詳細な説明】
【技術分野】
【０００１】  この発明は、釣り餌を海中に投げ込む際に、釣り糸に吊るされた用具が絡まったり、糸がよじれたりするトラブルを防ぎ、且つ仕掛けの用具の取り替えをスムーズにする為に使う釣り用サルカの改良に関し、更に詳しくは、すこぶる軽量で且つ、サルカン本体に具備する回転軸に掛かる魚の引っ張り荷重の大小と無関係に常時スムーズな回動を得る事が出来、長期間稼動してもし初期機能を損なうことのない高品質でなるサルカンに関する。
【背景技術】
【０００２】  この種の従来の技術として特開平９−１７２９２１で、発明の名称「釣り用サルカン」で開示れるが、古くから数々のタイプのサルカンが知られ、即ちハコ型サルカンやスナップ付きサルカンやミツマタサルカンや松葉型更には、親子松葉型等と数々の構成違いのサルカンが市場に出まわっており、釣り上げる魚の対象、或いは竿の仕掛けによって、これらのタイプやサイズの大小が決められ、数ある中から選択され適材に使われている。【０００３】  そして、これらのサルカンの接続は、釣り糸とクッションの間又は、釣り糸と釣り針の付いたハリスの間、又は釣り糸とオモリの間、又は釣り糸とテンビンの間、又は釣り糸とアタリウキの間、又は釣り糸とカゴ類の間と様々な釣り用具に適時接続され使われ、釣り針を海中に投げ込む時や海中での釣り針の落下時等での釣り糸と用具のもつれ、或いは魚の急激な動きにサルカンが反応し魚の動きに同期し吊るした釣り糸をよじる等の支障を防いでくれる用具で、これらのサルカンは黄銅材の金属材で中空状の本体の両側面の軸穴にはほど良い嵌め合いで、抜け止め付きの回転軸が細い金属線、主に黄銅線材で回動自在に構成し、端部はリング状の止め環付きでなっている。
【発明の開示】
【発明が解決しようとする課題】
【０００４】  しかしながら上記する従来技術の釣り用サルカンは、金属加工でサイズも形態も様々で、本体の両サイドで回動する止め環の回転軸がきしんだり或いは、抜け止め部の大小或いは、軸孔のばらつきによっては、回転軸は、弱い魚の引っ張りで抜け止めが抜け回転軸が脱落するなどのトラブルが課題となり、又本体も止め環も金属加工の為全体の荷重がサイズが大きくなるに従って重くなり、海中でのサルカン付きのハリスの動きがサルカンの重さに左右されて自然な動きが阻害され、魚に警戒心を与える等の課題が残り、又アタリウキを使う釣りではサルカンの重さとのバランスくずれの補正の調整難や、更には、全金属製での構成の為、海中での塩分や汚れた海水で回転軸がロックしたり、損傷を早める等の課題が残る。
【課題を解決するための手段】
【０００５】  この発明は、係る課題を解決する為に、請求項１での発明は図１、図２で述べる様に、釣り用サルカンにおいて、合成樹脂製で分割構成でなるケース体１の収納部２には、収納部側面２ａの片方側面に開口する軸孔３に貫通して回動する抜け止め用円板体５付きの回転軸４を収納し、該円板体５の側面５ａと前記収納部側面２ａの片方或いは両方側面間に材質不特定でのボールベアリング６を適性に設定することで、回転軸４が円滑に回動自在構成でなり、更に、回転軸４の端子４ａとケース体１の片方の端子７に接続孔８を設け、連結用具Ａ等を接続可能なボールベアリング付きサルカンの構成とする。【０００６】  次ぎに請求２での発明は、図３で述べる様に、前記する分割でなる略筒状体のケース体１のＡケース部９の開口部を蜜着固着する蓋体９ａと個別でなるＢケース部１０の間には伸縮自在でなるクッション体１１を固着し、ショックアブソーブ機能を付加したボールベアリング付きサルカン構成とする。
次に、請求項３での発明は図４で述べる様に、前記する合成樹脂製で分割構成でなるケース体１を金属材でのケース体１００でなるボールベアリング付きサルカン構成する。
次に又、請求項４での発明は前記と同じ図４を併用して述べるに、前記する回転軸４を金属材での回転軸４００でなるボールベアリング付きサルカン構成にする。
次に、請求項５での発明は図５で述べる様に、前記するケース体１の外観の外周を非円形状、例えば、小判形や多角形でのケース体１０１でなるボールベアリング付きサルカン構成にする等で、数々の抱える課題を解決するものである。
【発明の効果】
【０００７】  本発明は、上述の通り構成作用するので次の優れた効果を奏する。即ち、請求項１での効果はボールベアリングの材質を合成樹脂材にし、サルカンの全体構成を全合成樹脂製にする事で軽量で大きな浮力が働く為、ハリスとの接続では、ハリスの釣り餌がサルカンの重さで引っ張られてラフな動きが拘束されず、釣り餌が浮きながら潮の流れと共の動きまわることで、魚に警戒心を与えないだけでなく、更には、サルカンが軽いので、アオリの反応を良くし又、回転軸部に設けたボールベアリングの働きで、使用中での過負荷による回転軸の抜けや、キシミ等のトラブルのない、魚の弱いアタリや強力な引きや逃げ回りにもスムーズに反応し同期回動する、優れたボールベアリング付きサルカンを提供することが出来る。【０００８】  そして、請求項２での効果は、クッション体を装備したサルカン構成の為、魚のアタリを緩和することで餌の食い付きが良く、更には、食い付いた魚の暴れまわりや、釣り上げ時の魚の口切れによる釣り逃しの少ないボールベアリング付きサルカンを提供することが出来る。そして又、請求項３での効果は、サルカンのケース体を金属製にし重くする事で、テンビンやオモリとの接続に組合せる等で海中での落ち込みが速く、又、請求項４での効果は、回転軸を細い金属にする事で、強靭な回転軸に構成することが出来、更には、請求項５での効果は、ケース体の外周を異形にする事で、つかみ易い且つ、床上で転がりのない利便性の高い、ボールベアリング付きサルカンを提供出来る。
【発明を実施するための最良の形態】
【０００９】  以下図示の実施例に基づいて、本発明を更に詳細に説明する。即ち、図１、図２は本発明での第１実施に基づく全体を示す一部断面での斜視図で、図１は従来の金属材に比較してかなり比重の小さい合成樹脂材で筒状のケース体１を構成し、これらの筒状のケース体１はＡケース部９とＢケース部１０との横割りで収納部２を２分割しての構成で、夫々の開口部は互いに整合して密着固着を可能にし、これらの収納部２の収納側面２ａには軸孔３が設けられ、個別に構成する円板体５が収納され、円板体５の中央部に一体化する回転軸４が軸芯となり軸孔３に貫通して回転軸はケース体１の外部に露出し、収納部２の円板体５と一体となって回動自在に構成する。【００１０】  そして、前記する収納部２の円板体５の側面５ａと収納部側面２ａの片方或いは両方側面の間に程よい隙間を作り、ボールベアリング６を数個リング状に並べ置き、回転軸４にかかる強力な引きでの回動を円滑にする構成で、これらのボールベアリング６の材質は比重の小さい合成樹脂材或いはセラミック製が選択されることで、全体の比重をかなり軽減し、浮力の大きい従来にないサルカンを具現化している。これらのケース体１での回動自在な回転軸４は、仕掛けで様々な用具に接続する為に回転軸４の端子４ａとケース体１の回転軸４に対向する端子７に接続する為の接続孔８を開口し、リング状の連結用具Ａを接続可能な構成とし、これらの連結用具Ａには片方に道糸他方にはハリスの接続をはじめ、様々な釣り仕掛けの用具が接続される。【００１１】  次に図３は本発明での第２実施例に基づく全体を示す一部断面での斜視図で、前記する第１実施例の図１で述べる構成からなるケース体１のＡケース部９の開口部に固着でなる蓋体９ａを新設したケース体１内に前記する円板体５付きの回転軸４が収納され、これらの本体１の蓋体９ａと個別でなるＢケース部１０との間に伸縮自在のクッション体１１例えば、軟質で伸縮性の優れたポリウレタンエラストマー樹脂材でなるチューブ体を実施例にあげているがムク材でも良く、これらが接続されたショックアブソーブ機能を付加した構成である。このクッション付きサルカンは道糸とハリスの間に使う事で、海中で大きい浮力を受けてさ迷うハリスに、魚は何の警戒心も無く、魚の弱いアタリを感知し、餌の食い付きを確実にし、急激な食い付き引っ張りを緩和すなどで釣果を上げるに役立つ構成である。【００１２】  次に図４は本発明での第３実施例に基づく全体を示す一部断面での斜視図で、前記する合成樹脂製でのケース体１を金属製でのケース体１００にし、片側にボールベアリングを介し、樹脂材での円板体５を内蔵し、其れに一体化する回転軸４をケース体１の片方サイドに程よい勘合で回動自在に突き出し、黄銅材等の切削加工での金属製からなるＡケース部９と其の開口部に密着係止するＢケース部１０とで構成するが、仕掛けではケース体１００の片方の端子７の開口する接続孔８のリング状の連結用具Ａに道糸側を接続し、回転軸４の端子４ａの接続孔８に設けた連結用具Ａにハリスを接続するなどして使うのが好ましい。特に水中で寄せ餌を拡散させて釣るビシ釣りやカゴ釣りでのハリスの浮遊を極力押さえる釣りに使うため、比較的重く流れ難くいサ���カンにし、寄せ餌の近辺に本餌が配置されることで回転軸４が素早く弱い付加で反応することで優れた効果を発揮するのに最適である。【００１３】  次に第４実施例を前記第３実施例での図４を併用して述べるに前記するケース体１００、（１）内に収容してなるボールベアリングを介し回動自在での合成樹脂製の円板体５と一体化する回転軸４の回転軸４単体を円板体５から分割し、個別に細い金属棒線での回転軸４００にする事で、細く強靭な回転軸４００に変更した構成で、即ち、合成樹脂製の回転軸４と金属棒線での回転軸４００との構成で、釣る魚に合わせて選択の出来るボールベアリング付きサルカンを提供するもので有る。そして又、図５は請求項５での第５実施例に基づく全体を示す斜視図で、前記するケース体１（１００）での筒状体の外観の外周を非円形状、本実施例は小判形で述べるが、四角形、六角形、などでの多角形の外観構成にする事で、つり竿の仕掛け時に指先で掴み易くし或いは釣り場での床上の変則な振動や揺れ等での転がりを防止可能な形状にしたものである。即ち合成樹脂製での成形型或いは、黄銅金属材での多角形ひき抜き材を使っての旋盤加工で具現化するものである。
【図面の簡単な説明】
【００１４】
【図１】  本発明に係わる第１実施例での一部断面での全体を示す斜視図である。
【図２】  本発明に係わる第１実施例で他の例での一部断面での全体を示す斜視図である。
【図３】  本発明に係わる第２実施例での一部断面での全体を示す斜視図である。
【図４】  本発明に係わる第３実施例と第４実施例とを併用しての一部断面での斜視図である。
【図５】  本発明に係わる第５実施例での全体を示す斜視図である。
【符合の説明】
【００１５】  Ａ        連結用具
１、１００、１０１  ケース体
２        収納部
２ａ      収納部側面
３        軸孔
４、４００  回転軸
４ａ、７  端子
５        円板体
６ａ      側面
６        ボールベアリング
８        接続孔
９        Ａケース部
９ａ      蓋体
１０        Ｂケース部
１１        クッション体
【図１】
2010119377.tif 000003
【図２】
2010119377.tif 000004
【図３】
2010119377.tif 000005
【図４】
2010119377.tif 000006
【図５】
2010119377.tif 000007